(57)【要約】【課題】急な暗闇において家具の所在を知らしめる。【解決手段】家具の天板や扉などの板部材の側面に接合される、化粧面１４と接合面１２とを備える木口材１０であって、蓄光性を備える蓄光部材１６と、蓄光部材１６を保持する不透明のベース部材１８とを有し、化粧面１４の一部が蓄光部材１６の表面である。家具の目立ちにくい部分に接合される木口材１０の化粧面１４の一部が蓄光部材１６の表面であるため、家具の意匠性を維持しつつ、急な暗闇においてその家具の所在を知らしめることができる。【選択図】    図１
2008290404.tif 000002
【特許請求の範囲】
【請求項１】
化粧面と、板材の側面に接合される接合面とを備える木口材であって、
蓄光性を備える蓄光部材と、
蓄光部材を保持する不透明のベース部材とを有し、
化粧面の一部が蓄光部材の表面であることを特徴とする木口材。
【請求項２】
請求項１に記載の木口材において、
化粧面中の前記蓄光部材の表面が幅方向に関して少なくとも一端側にあることを特徴とする木口材。
【請求項３】
請求項１に記載の木口材において、
前記ベース部材が、前記蓄光部材の表面を目隠しするための目隠し部を有することを特徴とする木口材。
【請求項４】
請求項３に記載の木口材において、
化粧面に凹部を備え、
前記凹部の底面のみが蓄光部材の表面であり、
前記凹部の開口に前記目隠し部が形成されていることを特徴とする木口材。
【請求項５】
請求項３に記載の木口材において、
前記ベース部材が前記目隠し部をそれぞれ備える２つのベース部材から構成され、
前記蓄光部材が、前記目隠し部によって表面を目隠しされつつ前記２つのベース部材に挟まれた状態で保持されていることを特徴とする木口材。
【発明の詳細な説明】
【技術分野】
【０００１】
本発明は、天板や扉などの家具の板部材の側面に接合される木口材に関し、木口材を備える構造物の製造分野に属する。
【背景技術】
【０００２】
例えば、合板などで製造される家具などの構造物は、意匠性を高めるために、天板や扉などの板部材の側面に木口材が接合されている。木口材は、板部材の側面に接合される接合面と、板部材に接合されたときに見える化粧面とを備えたものである。
【０００３】
ところで、予期せぬ停電などによって慌てた人が、暗闇において家具を視認することができず、例えばテーブルの天板に足を衝突させることがある。この対処として、急な暗闇において家具の所在を示すために、家具の一部分が発光する考えがある。例えば、特許文献１に記載する、合板と蓄光性板材とを交互に重ねて接着剤により接着し、接着方向に切断して製造された複合パネルを材料として家具を製造した場合、急な暗闇において蓄光性板材の部分が発光することにより、暗闇においてその家具の所在を知ることができる。
【０００４】
【特許文献１】特開２００４−２４９６４４公報
【発明の開示】
【発明が解決しようとする課題】
【０００５】
ところが、特許文献１に記載の複合パネルは、合板と蓄光性板材を交互に重ねたもの、言い換えると、表面に合板色と蓄光色とが交互に配置された板材であるため、この板材を使用して製造された家具は、蓄光色が目立ち、その意匠性が低くなる。例えば、木製の家具に見えないことがある。
【０００６】
そこで、本発明は、家具の意匠性を維持しつつ、急な暗闇において家具の所在を知らしめることができる、家具に使用される木口材を提供することを課題とする。
【課題を解決するための手段】
【０００７】
上述の課題を解決するために、本願の請求項１に記載の発明は、化粧面と、板材の側面に接合される接合面とを備える木口材であって、蓄光性を備える蓄光部材と、蓄光部材を保持する不透明のベース部材とを有し、化粧面の一部が蓄光部材の表面であることを特徴とする。
【０００８】
また、請求項２に記載の発明は、請求項１に記載の木口材において、化粧面中の前記蓄光部材の表面が幅方向に関して少なくとも一端側にあることを特徴とする。
【０００９】
さらに、請求項３に記載の発明は、請求項１に記載の木口材において、前記ベース部材が、前記蓄光部材の表面を目隠しするための目隠し部を有することを特徴とする。
【００１０】
さらにまた、請求項４に記載の発明は、請求項３に記載の木口材において、化粧面に凹部を備え、前記凹部の底面のみが蓄光部材の表面であり、前記凹部の開口に前記目隠し部が形成されていることを特徴とする。
【００１１】
加えて、請求項５に記載の発明は、請求項３に記載の木口材において、前記ベース部材が前記目隠し部をそれぞれ備える２つのベース部材から構成され、前記蓄光部材が、前記目隠し部によって表面を目隠しされつつ前記２つのベース部材に挟まれた状態で保持されていることを特徴とする。
【発明の効果】
【００１２】
請求項１に記載の発明によれば、家具の板部材（例えば、天板）の側面、すなわち目立ちにくい部分に接合された本発明の木口材の化粧面の一部の蓄光部材の表面が急な暗闇において発光する。これにより、家具の意匠性を維持することができるとともに、急な暗闇において家具の所在を知らしめることができる。
【００１３】
また、請求項２に記載の発明によれば、発光部分（蓄光部材の表面）が木口材の化粧面の幅方向に関して少なくとも一端側に配置されるため、さらに家具の意匠性を維持できる。
【００１４】
さらに、請求項３に記載の発明によれば、木口材のベース部材が備える目隠し部が蓄光材料を見えにくくするため、家具の意匠性が維持される。
【００１５】
さらにまた、請求項４に記載の発明によれば、蓄光部材の表面が化粧面に形成された凹部の底面のみに配置されるとともに、その底面を目隠しする目隠し部が凹部の開口に形成されているため、凹部底面の蓄光部材の表面が見えにくくなり、家具の意匠性が維持される。
【００１６】
加えて、請求項５に記載の発明によれば、蓄光部材は２つのベース部材に挟持状態で保持され、蓄光部材の表面はそれぞれの目隠し部により目隠しされるために見えにくくなり、家具の意匠性が維持される。
【発明を実施するための最良の形態】
【００１７】
（第１の実施の形態）
図１は、本発明の第１の実施の形態に係る木口材を部分的に示している。
【００１８】
木口材１０は、例えば家具の天板ＳＢの側面ＦＰに接着剤によって接合される接合面１２と、接合されたときに見える化粧面１４とを備え、方向Ｗを長手方向とする帯状形状である。なお、本発明においては、木口材１０の接合面１２と該接合面と接合される被接合面との間の接合方法は、接着剤に限定しない。例えば木口材の接合面に形成された凸部が被接合面に形成された凹部に嵌入して接合してもよい。
【００１９】
木口材１０は、蓄光性を備える蓄光部材１６と、蓄光部材１６を保持する不透明のベース部材１８から構成されている。蓄光部材１６は、明時においては光エネルギを蓄え（蓄光し）、急な暗闇においては蓄えた光エネルギを放出する（発光する）部材である。蓄光部材１６は、蓄えた光エネルギ量に比例した時間発光する。
【００２０】
例えば、蓄光部材１６は、蓄光塗料が塗られた金属や樹脂などの部材、より好ましくは暗闇において長時間発光できる、蓄光顔料が分散された樹脂部材である。樹脂部材の場合、蓄光顔料の分散量が多いほど、または単位体積あたりの蓄光顔料の分散量が同じであれば体積が大きいほど長時間発光する。また、ベース部材１８は、木口材１０が接合される天板ＳＢの色に着色された金属や樹脂などの部材である。
【００２１】
なお、蓄光部材１６が蓄光顔料が分散された樹脂部材であって、ベース部材１８が天板ＳＢの色に対応する顔料を含んだ樹脂部材である場合、このような木口材１０は、長手方向Ｗに押出する押出成形装置によって製造することができる。
【００２２】
蓄光部材１６は、木口材１０の幅方向に関して両端に配置されている。すなわち、幅方向に関して化粧面１４の両端が、急な暗闇において発光する蓄光部材１６の表面（発光面）となる。蓄光部材１６が木口材１０の幅方向に関して両端に配置されるため、蓄光部材１６が化粧面１４に現れても、木口材１０が接合された天板ＳＢを備える家具の意匠性を維持することができる。なお、図１においては、蓄光部材は木口材の幅方向に関して両端に配置されているが、一端側のみであってもよい。その場合、両端に蓄光部材を配置する場合に比べて、家具の意匠性がより維持される。
【００２３】
（第２の実施の形態）
図２は、本発明の第２の実施の形態に係る木口材を部分的に示している。
【００２４】
木口材１１０は、例えば家具の天板ＳＢの側面ＦＰに接合される接合面１１２と、接合されたときに見える化粧面１１４とを備え、方向Ｗを長手方向とする帯状形状である。木口材１１０は、蓄光性を備える蓄光部材１１６と、蓄光部材１６を保持する不透明のベース部材１１８から構成されている。例えば、蓄光部材１１６は蓄光顔料を含んだ樹脂部材であって、ベース部材１１８は天板ＳＢの色に対応する顔料を含んだ樹脂部材である。
【００２５】
木口材１１０の蓄光部材１１６は、第１の実施形態の蓄光部材１６と同様に、幅方向に関して両端に配置されているが、本実施形態の木口材１１０は、化粧面１１４の正面（天板ＳＢの側面ＦＰの正面）から見た場合に蓄光部材１１６が見えないように目隠しする目隠し部１２０をベース部材１１８に備える。これにより、木口材１１０が接合された天板ＳＢを備える家具は、第１の実施の形態に比べて高い意匠性を備えつつ、急な暗闇において所在を知らしめることができる。
【００２６】
（第３の実施の形態）
図３は本発明の第３の実施の形態に係る木口材を部分的に示し、図４はその断面を示している。
【００２７】
木口材２１０は、例えば家具の天板ＳＢの側面ＦＰに接合される接合面２１２と、接合されたときに見える化粧面２１４とを備え、方向Ｗを長手方向とする帯状形状である。木口材２１０は、蓄光性を備える蓄光部材２１６と、蓄光部材２１６を保持する不透明のベース部材２１８から構成されている。例えば、蓄光部材２１６は蓄光顔料を含んだ樹脂部材であって、ベース部材２１８は天板ＳＢの色に対応する顔料を含んだ樹脂部材である。
【００２８】
木口材２１０は、化粧面２１４に長手方向Ｗに伸びる溝形状の凹部２２２を備え、その凹部２２２の底部に蓄光部材２１６を配置した構造である。言い換えると、図４に示すように、凹部２２２の底面が蓄光部材２１６の表面２２４である。
【００２９】
木口材２１０の凹部２２２は、その開口に化粧面２１４の正面から見た場合に見える蓄光部材２１６の表面２２４の面積が小さくなるように該表面２２４を目隠しする目隠し部２２０を備える。目隠し部２２０は、化粧面２１４と該化粧面２１４に対して角度θに接触する面（化粧面２１４と蓄光部材２１６の表面２２４との間の面）とにより形成されている。また、化粧面２１４から蓄光部材２１６の表面２２４までの距離はＬ１に設定され、凹部２２２の木口材２１０の幅方向に関する長さはＬ２に設定されている。
【００３０】
角度θ、距離Ｌ１、および距離Ｌ２は、凹部２２２の底の蓄光部材２１６が蓄光可能に、言い換えると発光した光が暗闇において見えるような値に設定されている。例えば角度θは１０〜７０°の角度に、距離Ｌ１は０．５ｍｍ以上、距離Ｌ２は０．３〜１５ｍｍに設定される。
【００３１】
本実施の形態によれば、蓄光部材２１６の表面２２４が凹部２２２の底面のみに配置されるとともに、凹部２２２の開口に目隠し部２２０が形成されているため、化粧面に蓄光部材の表面が存在する第１および第２の実施の形態に比べて、蓄光部材２１６が見えにくい。これにより、木口材２１０が接合された天板ＳＢを備える家具は、第１および第２の実施の形態に比べて高い意匠性を備えつつ、急な暗闇において所在を知らしめることができる。
【００３２】
なお、本実施の形態の改良したものとして、図５に示すように、凹部２２２を埋めるように、蓄光部材２１６上の凹部２２２内の空間に透明部材（例えば、透明樹脂部材）２２６を配置してもよい。この場合、凹部２２２の底にある蓄光部材２１６が蓄光または発光できるとともに、化粧面２１４は平坦な面となる。これは、木口材に凹部を形成することを許さない家具において有効となる。
【００３３】
（第４の実施の形態）
図６は本発明の第４の実施の形態に係る木口材を部分的に示し、図７はその断面を示している。
【００３４】
本実施の形態は、第３の実施の形態の蓄光部材２１６の表面２２４が凹部２２２の開口に位置するように（表面２２４と化粧面２１４が同一面になるように）、また蓄光部材２１６が接合面２１４に露出するように改良したような構造である。
【００３５】
すなわち、図７に示すように、木口材３１０は、化粧面３１４上に上辺が位置しつつ接合面３１２上に下辺（上辺に比べて長い下辺）が位置する台形形状の断面を備える蓄光部材３１６と、蓄光部材３１６の側面（上辺および下辺以外の辺で示される面）で該蓄光部材３１６を挟持するように保持する２つのベース部材３１８ａ、３１８ｂとから構成される。
【００３６】
２つのベース部材３１８ａ、３１８ｂそれぞれは目隠し部３２０を備え、その目隠し部３２０が、蓄光部材３１６を挟持しつつ、木口材３１６の幅方向Ｄに関して蓄光部材３１６全体が見えないように目隠ししている。
【００３７】
本実施の形態の木口材３１０は、凹部の底面に蓄光部材の表面が配置される第３の実施の形態と異なり化粧面３１４に蓄光部材３１６の表面が現れて家具の意匠性は低くなるものの、蓄光部材の体積が第３の実施の形態に比べて大きいため（蓄光部材３１６の化粧面３１４側部分と第３の実施の形態の凹部２２２の形状が同一である場合において）、発光時間が長い。
【００３８】
以上、上述の実施形態を挙げて本発明を説明したが、本発明はこれに限定されない。
【００３９】
本発明は、広義には化粧面の一部が蓄光部材の表面である、家具の目立ちにくい場所に接合される木口材である。本発明の木口材が接合された家具は、意匠性が維持されつつ、急な暗闇において所在を知らしめることができる。
【００４０】
例えば、第３の実施の形態と第４の実施の形態の間の形態の木口材が考えられる。
【００４１】
図８は、第３の実施の形態と第４の実施の形態の間の形態の木口材４１０の断面を示している。
【００４２】
具体的に説明すると、木口材４１０は化粧面４１４に凹部４２２を有し、第３の実施の形態と同様に、凹部４２２の底面が蓄光部材４１６の表面４２４である。また、蓄光部材４１６は、凹部４２２の底面４２４上に上辺が位置しつつ接合面４１２上に下辺（上辺に比べて長い下辺）が位置する、第４の実施の形態と同様の台形形状の断面を備える。この場合、家具の意匠性は第３の実施の形態と同一であって、第４の実施の形態に比べて蓄光部材４１６の体積が小さいため発光時間は短いものの第３の実施の形態よりは長時間発光することができる。
【産業上の利用可能性】
【００４３】
以上のように本発明によれば、意匠性を維持しつつ、急な暗闇において所在を知らしめることができる家具を製造することが可能になる。したがって、木口材が接合される家具などの構造物の生産分野において好適に利用される可能性がある。
【図面の簡単な説明】
【００４４】
【図１】本発明の第１の実施の形態に係る木口材を示す図である。
【図２】本発明の第２の実施の形態に係る木口材を示す図である。
【図３】本発明の第３の実施の形態に係る木口材を示す図である。
【図４】本発明の第３の実施の形態に係る木口材の断面を示す図である。
【図５】本発明の第３の実施の形態の改良例に係る木口材の断面を示す図である。
【図６】本発明の第４の実施の形態に係る木口材を示す図である。
【図７】本発明の第４の実施の形態に係る木口材の断面を示す図である。
【図８】本発明の別の実施の形態に係る木口材の断面を示す図である。
【符号の説明】
【００４５】
１０  木口材
１２  接合面
１４  化粧面
１６  蓄光部材
１８  ベース部材
【図１】
2008290404.tif 000003
【図２】
2008290404.tif 000004
【図３】
2008290404.tif 000005
【図４】
2008290404.tif 000006
【図５】
2008290404.tif 000007
【図６】
2008290404.tif 000008
【図７】
2008290404.tif 000009
【図８】
2008290404.tif 000010